【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
状態情報を監視するためのシステムであって、
コンピューティングシステムにて実行しているエージェントから状態情報を受信し、前記状態情報は、前記コンピューティングシステムのコンポーネントに関し、
複数の予め定義された第２の時間周期を含む予め定義された第１の時間周期の満了の前に、および前記予め定義された第１の時間周期内の各予め定義された第２の時間周期の満了によって、
より前に前記予め定義された第１の時間周期内に受信された状態情報を集約し、
サブスクライブされた状態情報を前記集約された状態情報から生成し、前記サブスクライブされた状態情報は、クライアントの命令を使用して選択された前記集約された状態情報のサブセットであり、
前記クライアントに前記サブスクライブされた状態情報を送信する
ように構成された１つまたは複数のプロセッサーを備え、
前記予め定義された第１の時間周期の満了によって、前記１つまたは複数のプロセッサーは、前記予め定義された第１の時間周期に対して状態情報を集約することを停止し、複数の予め定義された第４の時間周期を含む予め定義された第３の時間周期に対して状態情報を集約することを開始するように構成されることを特徴とするシステム。
【請求項２】
前記１つまたは複数のプロセッサーは、
前記エージェントから受信された前記状態情報の開始時間および終了時間を使用して、前記予め定義された第１の時間周期と、前記予め定義された第１の時間周期内に受信された前記状態情報を関連付ける
ようにさらに構成されることを特徴とする請求項１に記載のシステム。
【請求項３】
前記１つまたは複数のプロセッサーは、
前記予め定義された第１の時間周期に関連付けられた時間に基づいて、前記集約された状態情報に関連付けられたディスプレイタイムを決定し、
前記クライアントに前記ディスプレイタイムを送信する
ようにさらに構成されたことを特徴とする請求項２に記載のシステム。
【請求項４】
前記クライアントは、前記ディスプレイタイムに関連して前記コンピューティングシステムに関連付けられた集約するメトリックまたは集約するイベントデータを含む前記サブスクライブされた状態情報の表示を含むユーザーインターフェイスを更新することを特徴とする請求項３に記載のシステム。
【請求項５】
前記１つまたは複数のプロセッサーは、前記予め定義された第３の時間周期の満了の前に、および前記予め定義された第３の時間周期内の各予め定義された第４の時間周期の満了によって、
より前に前記予め定義された第２の時間周期内に受信された、前記エージェントからの第２の状態情報を集約し、
前記クライアントに前記第２の状態情報の少なくとも一部を送信する
ようにさらに構成されることを特徴とする請求項１に記載のシステム。
【請求項６】
前記集約された状態情報は、複数のデータ値と、単一のデータ値を含む前記サブスクライブされた状態情報とを含むことを特徴とする請求項１に記載のシステム。
【請求項７】
前記１つまたは複数のプロセッサーは、
前記クライアントから前記命令を受信し、前記命令は、前記サブスクライブされた状態情報に対するリクエストを示し、前記サブスクライブされた状態情報は、前記命令に基づいて、前記集約された状態情報をフィルタリングすることによって生成される
ようにさらに構成されることを特徴とする請求項１に記載のシステム。
【請求項８】
前記１つまたは複数のプロセッサーは、
前記サブスクライブされた状態情報を受信する前記クライアントから第１のリクエストを受信し、
前記第１のリクエストに応答して、前記サブスクライブされた状態情報を前記クライアントに提供するために、前記クライアントに関連付けられたサブスクリプションを生成し、
前記サブスクライブされた状態情報を受信する第２のクライアントから第２のリクエストを受信し、
前記第２のリクエストに応答して、前記クライアントに関連付けられた前記サブスクリプションがアクティブであるかどうかを決定し、
前記クライアントに関連付けられた前記サブスクリプションがアクティブであると決定することに応答して、前記第２のクライアントと前記サブスクリプションを関連付け、
前記サブスクリプションを取り消す前記クライアントから第３のリクエストを受信し、
前記第３のリクエストに応答して、
前記クライアントから前記サブスクリプションを取り消し、
前記サブスクライブされた状態情報を前記第２のクライアントに提供するために、前記サブスクリプションを維持する
ようにさらに構成されたことを特徴とする請求項１に記載のシステム。
【請求項９】
監視システムによって、
コンピューティングシステムにて実行しているエージェントから状態情報を受信することであって、前記状態情報は、前記コンピューティングシステムのコンポーネントに関する、ことと、
複数の予め定義された第２の時間周期を含む予め定義された第１の時間周期の満了の前に、および前記予め定義された第１の時間周期内の各予め定義された第２の時間周期の満了によって、
より前に前記予め定義された第１の時間周期内に受信された状態情報を集約すること、
サブスクライブされた状態情報を前記集約された状態情報から生成することであって、前記サブスクライブされた状態情報は、クライアントの命令を使用して選択された前記集約された状態情報のサブセットである、こと、および
前記クライアントに前記サブスクライブされた状態情報を送信することと
を備え、
前記予め定義された第１の時間周期の満了によって、前記監視システムは、前記予め定義された第１の時間周期に対して状態情報を集約することを停止し、複数の予め定義された第４の時間周期を含む予め定義された第３の時間周期に対して状態情報を集約することを開始することを特徴とする方法。
【請求項１０】
前記監視システムによって、
前記エージェントから受信された前記状態情報の開始時間および終了時間を使用して、前記予め定義された第１の時間周期と、前記予め定義された第１の時間周期内に受信された前記状態情報を関連付けること
をさらに備えることを特徴とする請求項９に記載の方法。
【請求項１１】
前記監視システムによって、
前記状態情報に対する前記予め定義された第１の時間周期に関連付けられた時間に基づいて、前記集約された状態情報に関連付けられたディスプレイタイムを決定することと、
前記クライアントに前記ディスプレイタイムを送信することと
をさらに備えることを特徴とする請求項１０に記載の方法。
【請求項１２】
前記クライアントは、前記ディスプレイタイムに関連して前記コンピューティングシステムに関連付けられた集約するメトリックまたは集約するイベントデータを含む前記サブスクライブされた状態情報の表示を含むユーザーインターフェイスを更新することを特徴とする請求項１１に記載の方法。
【請求項１３】
前記監視システムによって、前記予め定義された第３の時間周期の満了の前に、および前記予め定義された第３の時間周期内の各予め定義された第４の時間周期の満了によって、
より前に前記予め定義された第２の時間周期内に受信された、前記エージェントからの第２の状態情報を集約することと、
前記クライアントに前記第２の状態情報の少なくとも一部を送信することと
をさらに備えることを特徴とする請求項９に記載の方法。
【請求項１４】
前記監視システムによって、
前記クライアントから前記命令を受信することであって、前記命令は、前記ユーザーインターフェイスによる提示のためのデータを示し、前記サブスクライブされた状態情報は、前記命令に基づいて、前記集約された状態情報をフィルタリングすることによって生成される、こと
をさらに備えることを特徴とする請求項９に記載の方法。
【請求項１５】
前記監視システムによって、
前記サブスクライブされた状態情報を受信する前記クライアントから第１のリクエストを受信することと、
前記第１のリクエストに応答して、前記サブスクライブされた状態情報を前記クライアントに提供するために、前記クライアントに関連付けられたサブスクリプションを生成することと、
前記サブスクライブされた状態情報を受信する第２のクライアントから第２のリクエストを受信することと、
前記第２のリクエストに応答して、前記クライアントに関連付けられた前記サブスクリプションがアクティブであるかどうかを決定することと、
前記クライアントに関連付けられた前記サブスクリプションがアクティブであると決定することに応答して、前記第２のクライアントと前記サブスクリプションを関連付けることと、
前記サブスクリプションを取り消す前記クライアントから第３のリクエストを受信することと、
前記第３のリクエストに応答して、
前記クライアントから前記サブスクリプションを取り消すこと、および
前記サブスクライブされた状態情報を前記第２のクライアントに提供するために、前記サブスクリプションを維持することと
をさらに備えることを特徴とする請求項９に記載の方法。
【請求項１６】
プロセッサーによって実行されると、
コンピューティングシステムにて実行しているエージェントから状態情報を受信し、前記状態情報は、前記コンピューティングシステムのコンポーネントに関し、
複数の予め定義された第２の時間周期を含む予め定義された第１の時間周期の満了の前に、および前記予め定義された第１の時間周期内の各予め定義された第２の時間周期の満了によって、
より前に前記予め定義された第１の時間周期内に受信された状態情報を集約し、
サブスクライブされた状態情報を前記集約された状態情報から生成し、前記サブスクライブされた状態情報は、クライアントの命令を使用して選択された前記集約された状態情報のサブセットであり、
前記クライアントに前記サブスクライブされた状態情報を送信する
ように前記プロセッサーを構成する命令を格納する非一時的なコンピューター読み取り可能媒体であって、
前記予め定義された第１の時間周期の満了によって、前記命令は、前記予め定義された第１の時間周期に対して状態情報を集約することを停止し、複数の予め定義された第４の時間周期を含む予め定義された第３の時間周期に対して状態情報を集約することを開始するように前記プロセッサーを構成することを特徴とする非一時的なコンピューター読み取り可能媒体。
【請求項１７】
前記プロセッサーによって実行されると、
前記サブスクライブされた状態情報を受信する前記クライアントから第１のリクエストを受信し、
前記第１のリクエストに応答して、前記サブスクライブされた状態情報を前記クライアントに提供するために、前記クライアントに関連付けられたサブスクリプションを生成し、
前記サブスクライブれた状態情報を受信する第２のクライアントから第２のリクエストを受信し、
前記第２のリクエストに応答して、前記クライアントに関連付けられた前記サブスクリプションがアクティブであるかどうかを決定し、
前記クライアントに関連付けられた前記サブスクリプションがアクティブであると決定することに応答して、前記第２のクライアントと前記サブスクリプションを関連付け、
前記サブスクリプションを取り消す前記クライアントから第３のリクエストを受信し、
前記第３のリクエストに応答して、
前記クライアントから前記サブスクリプションを取り消し、
前記サブスクライブされた状態情報を前記第２のクライアントに提供するために、前記サブスクリプションを維持する
ように前記プロセッサーを構成する命令をさらに格納することを特徴とする請求項１６に記載の非一時的なコンピューター読み取り可能媒体。